(57)【要約】【課題】筆記者によって記入された文字を参照して、データ入力者がデータ入力を行う際に、そのデータ入力者に対し、筆記された文字列によって表される内容を知られにくくするデータ入力システムを提供する。【解決手段】画像読取装置１００は、帳票毎に読み取った原画像データを一文字単位に分割した分割原画像データを抽出し、各分割原画像データの抽出順序を含む識別情報を設定して記憶すると共に、各分割原画像データの文字に対応する文字対応情報を抽出し、その分割原画像データの識別情報と文字対応情報とを関連づけて出力する。データ入力受付装置２００は、画像読取装置１００により出力される分割原画像データから予め定めた手順に従って分割原画像データを抽出して表示し、表示した分割原画像データに対してデータ入力者が入力した文字データを、表示した分割原画像データ及び当該分割原画像データの識別情報と関連づけて記憶する。【選択図】図３
2010277168.tif 000002
【特許請求の範囲】
【請求項１】
（Ａ）文字が記載された帳票の原画像を帳票毎に読み取る読取手段と、
前記読取手段により読み取られた前記帳票の原画像のデータから１文字単位に分割した分割原画像データを抽出し、当該分割原画像データの前記帳票上の位置を特定する識別情報を当該分割原画像データに設定する設定手段と、
前記設定手段により抽出された前記各分割原画像データに対応した文字対応情報を前記分割原画像データ毎に生成する生成手段と、
前記各分割原画像データ、前記各分割原画像データについて設定された識別情報、および前記各分割原画像データの前記文字について生成された前記文字対応情報を各々関連づけて出力する出力制御手段とを備える画像読取装置と、
（Ｂ）前記出力制御手段が出力する前記各分割原画像データの中から、予め定められた手順に従って選択した前記分割原画像データを表示する表示制御手段と、
前記表示制御手段により表示された前記分割原画像データに対し、文字を特定する文字データの入力を受付ける受付手段と、
前記表示制御手段により表示された前記分割原画像データおよび当該分割原画像データの前記識別情報に、前記受付手段が受付けた文字データを対応付けて記憶する記憶制御手段とを備えるデータ入力受付装置と、
を備えることを特徴とするデータ入力システム。
【請求項２】
前記予め定められた手順は、前記各分割原画像データの中からランダムに予め定められた数の前記分割原画像データを選択することを特徴とする請求項１記載のデータ入力システム。
【請求項３】
前記記憶制御手段は、前記表示制御手段により表示された前記分割原画像データと同種の内容の前記文字対応情報を有している前記分割原画像データについても、前記受付手段が受付けた前記文字データを対応付けることを特徴とする請求項１又は２記載のデータ入力システム。
【請求項４】
前記表示制御手段は、前記記憶制御手段によって前記文字データの対応付けがなされた前記分割原画像データについては選択から除外することを特徴とする請求項１〜３のいずれか一項に記載のデータ入力システム。
【請求項５】
前記生成手段は、前記各分割原画像データの前記文字対応情報として、当該分割原画像データの文字の特徴を表す特徴情報を生成し、
前記記憶制御手段は、前記表示制御手段により表示された前記各分割原画像データに対して、前記受付手段が受付けた前記文字データの特徴情報を生成し、生成した当該特徴情報と当該分割原画像データの前記特徴情報とが予め定められた条件を満たす場合に、当該分割原画像データ及び当該分割原画像データの前記識別情報に、前記文字データを関連づけて記憶することを特徴とする請求項１〜４のいずれか一項に記載のデータ入力システム。
【請求項６】
前記画像読取装置は、予め定めた複数の文字を照合用文字として記憶する照合用文字記憶手段を備え、
前記生成手段は、前記各分割原画像データの前記文字対応情報として、当該分割原画像データと、前記照合用文字記憶手段に記憶されている前記複数の照合用文字とを照合し、当該分割原画像データに対応する前記照合用文字を特定し、
前記表示制御手段は、前記各分割原画像データに対応する前記照合用文字の種類毎に、前記種類に応じて予め定められた並び替え順序に従って前記照合用文字を並び替え、並び替えた前記照合用文字に対応する前記分割原画像データを表示することを特徴とする請求項１〜４のいずれか一項に記載のデータ入力システム。
【請求項７】
前記画像読取装置は、予め定めた複数の文字を照合用文字として記憶する照合用文字記憶手段を備え、
前記生成手段は、前記各分割原画像データの前記文字対応情報として、当該分割原画像データと、前記照合用文字記憶手段に記憶されている前記複数の照合用文字とを照合し、当該分割原画像データに対応する前記照合用文字を特定し、
前記データ入力受付装置は、予め定めた複数の単語を記憶する単語記憶手段を備え、
前記表示制御手段は、前記単語記憶手段に記憶された前記複数の単語から、前記分割原画像データに対応する前記照合用文字で構成された前記単語を抽出し、抽出した前記単語を構成する前記照合用文字の順序で、当該照合用文字に対応する前記分割原画像データを表示することを特徴とする請求項１〜４のいずれか一項に記載のデータ入力システム。
【請求項８】
データを記憶する記憶手段と、
文字が記載された帳票の原画像を帳票毎に読み取る読取手段と、
前記読取手段により読み取られた前記帳票の原画像のデータを１文字単位に分割した分割原画像データを抽出し、当該分割原画像データの前記帳票上の位置を特定する識別情報を当該分割原画像データに設定する設定手段と、
前記設定手段により抽出された前記各分割原画像データに対応した文字対応情報を前記分割原画像データ毎に生成する生成手段と、
前記各分割原画像データ、前記各分割原画像データについて設定された識別情報、および前記各分割原画像データの前記文字について生成された前記文字対応情報を各々関連づけて前記記憶手段に記憶させる原画像データ記憶制御手段と、
前記記憶手段に記憶されている前記各分割原画像データの中から、予め定められた手順に従って選択した前記分割原画像データを表示する表示制御手段と、
前記表示手制御手段により表示された前記分割原画像データに対し、文字を特定する文字データの入力を受付ける受付手段と、
前記表示制御手段により表示された前記分割原画像データおよび当該分割原画像データの前記識別情報に、前記受付手段が受付けた文字データを対応付けて前記記憶手段に記憶させる文字データ記憶制御手段と
を備えることを特徴とするデータ入力受付装置。
【請求項９】
文字が記載された帳票の原画像を読み取る読取手段を備えたコンピュータに、
前記読取手段により読み取られた前記帳票の原画像のデータから１文字単位に分割した分割原画像データを抽出し、当該分割原画像データの前記帳票上の位置を特定する識別情報を当該分割原画像データに設定する設定ステップと、
前記設定ステップにより抽出された前記各分割原画像データに対応した文字対応情報を前記分割原画像データ毎に生成する生成ステップと、
前記各分割原画像データ、前記各分割原画像データについて設定された識別情報、および前記各分割原画像データの前記文字について生成された前記文字対応情報を各々関連づけて出力する出力制御ステップと
を実行させるためのプログラム。
【請求項１０】
文字が記載された帳票の原画像を１文字単位に分割した分割原画像データ、前記各分割原画像データの識別情報、当該分割原画像データに対応した文字対応情報を各々関連づけて記憶する画像データ記憶装置と接続され、文字データの入力を受付ける受付手段を備えるコンピュータに、
前記画像データ記憶装置に記憶されている前記各分割原画像データの中から、予め定められた手順に従って選択した前記分割原画像データを表示する表示制御ステップと、
前記表示制御ステップにより表示された前記分割原画像データに対し、前記受付手段により受付けた文字データを、当該分割原画像データおよび当該分割原画像データの前記識別情報に関連付けて前記画像データ記憶装置に記憶させる記憶制御ステップとを
を実行させるためのプログラム。
【発明の詳細な説明】
【技術分野】
【０００１】
本発明は、データ入力システム、データ入力受付装置及びプログラムに関する。
【背景技術】
【０００２】
従来、住所や氏名等の個人情報が記入された帳票をデータ入力する場合に、個人情報の漏洩を防止するための種々の技術が提案されている。下記特許文献１には、帳票をスキャナで読み取り、帳票の項目単位やユーザが任意に選択した単位に画像を分割してデータ化し、分割した各データをシャッフルして保存する技術が開示されている。また、下記特許文献２には、読み取った原稿の文字認識ができない場合に、その部分の画像を切り取り、その画像に識別情報等を設定して記憶し、画像に秘密事項が含まれていれば、その原稿をデータ入力する際に秘密事項をカットして印刷したものに基づいて、データ入力者がデータ入力を行う技術が開示されている。
【先行技術文献】
【特許文献】
【０００３】
【特許文献１】特開２００６−２４４３１５号公報
【特許文献２】特開平０８−２７２９０８号公報
【発明の概要】
【発明が解決しようとする課題】
【０００４】
本発明は、筆記者によって記入された帳票上の文字をデータ入力者がデータ入力する際、その入力者に対し、記入された文字列によって表される内容を知られにくくすることを目的とする。
【課題を解決するための手段】
【０００５】
本発明の請求項１に係るデータ入力システムは、（Ａ）文字が記載された帳票の原画像を帳票毎に読み取る読取手段と、前記読取手段により読み取られた前記帳票の原画像のデータから１文字単位に分割した分割原画像データを抽出し、当該分割原画像データの前記帳票上の位置を特定する識別情報を当該分割原画像データに設定する設定手段と、前記設定手段により抽出された前記各分割原画像データに対応した文字対応情報を前記分割原画像データ毎に生成する生成手段と、前記各分割原画像データ、前記各分割原画像データについて設定された識別情報、および前記各分割原画像データの前記文字について生成された前記文字対応情報を各々関連づけて出力する出力制御手段とを備える画像読取装置と、（Ｂ）前記出力制御手段が出力する前記各分割原画像データの中から、予め定められた手順に従って選択した前記分割原画像データを表示する表示制御手段と、前記表示制御手段により表示された前記分割原画像データに対し、文字を特定する文字データの入力を受付ける受付手段と、前記表示制御手段により表示された前記分割原画像データおよび当該分割原画像データの前記識別情報に、前記受付手段が受付けた文字データを対応付けて記憶する記憶制御手段とを備えるデータ入力受付装置とを備えることを特徴とする。
【０００６】
本発明の請求項２に係るデータ入力システムは、請求項１に係る構成において、前記予め定められた手順は、前記各分割原画像データの中からランダムに予め定められた数の前記分割原画像データを選択することを特徴とする。
【０００７】
本発明の請求項３に係るデータ入力システムは、請求項１又は２に係る構成において、前記記憶制御手段は、前記表示制御手段により表示された前記分割原画像データと同種の内容の前記文字対応情報を有している前記分割原画像データについても、前記受付手段が受付けた前記文字データを対応付けることを特徴とする。
【０００８】
本発明の請求項４に係るデータ入力システムは、請求項１〜３のいずれかの構成において、前記表示制御手段は、前記記憶制御手段によって前記文字データの対応付けがなされた前記分割原画像データについては選択から除外することを特徴とする。
【０００９】
本発明の請求項５に係るデータ入力システムは、請求項１〜４のいずれかの構成において、前記生成手段は、前記各分割原画像データの前記文字対応情報として、当該分割原画像データの文字の特徴を表す特徴情報を生成し、前記記憶制御手段は、前記表示制御手段により表示された前記各分割原画像データに対して、前記受付手段が受付けた前記文字データの特徴情報を生成し、生成した当該特徴情報と当該分割原画像データの前記特徴情報とが予め定められた条件を満たす場合に、当該分割原画像データ及び当該分割原画像データの前記識別情報に、前記文字データを対応づけて記憶することを特徴とする。
【００１０】
本発明の請求項６に係るデータ入力システムは、請求項１〜４のいずれかの構成において、前記画像読取装置は、予め定めた複数の文字を照合用文字として記憶する照合用文字記憶手段を備え、前記生成手段は、前記各分割原画像データの前記文字対応情報として、当該分割原画像データと、前記照合用文字記憶手段に記憶されている前記複数の照合用文字とを照合し、当該分割原画像データに対応する前記照合用文字を特定し、前記表示制御手段は、前記各分割原画像データに対応する前記照合用文字の種類毎に、前記種類に応じて予め定められた並び替え順序に従って前記照合用文字を並び替え、並び替えた前記照合用文字に対応する前記分割原画像データを表示することを特徴とする。
【００１１】
本発明の請求項７に係るデータ入力システムは、請求項１〜４のいずれかの構成において、前記画像読取装置は、予め定めた複数の文字を照合用文字として記憶する照合用文字記憶手段を備え、前記生成手段は、前記各分割原画像データの前記文字対応情報として、当該分割原画像データと、前記照合用文字記憶手段に記憶されている前記複数の照合用文字とを照合し、当該分割原画像データに対応する前記照合用文字を特定し、前記データ入力受付装置は、予め定めた複数の単語を記憶する単語記憶手段を備え、前記表示制御手段は、前記単語記憶手段に記憶された前記複数の単語から、前記分割原画像データに対応する前記照合用文字で構成された前記単語を抽出し、抽出した前記単語を構成する前記照合用文字の順序で、当該照合用文字に対応する前記分割原画像データを表示することを特徴とする。
【００１２】
本発明の請求項８に係るデータ入力受付装置は、データを記憶する記憶手段と、文字が記載された帳票の原画像を帳票毎に読み取る読取手段と、前記読取手段により読み取られた前記帳票の原画像のデータを１文字単位に分割した分割原画像データを抽出し、当該分割原画像データの前記帳票上の位置を特定する識別情報を当該分割原画像データに設定する設定手段と、前記設定手段により抽出された前記各分割原画像データに対応した文字対応情報を前記分割原画像データ毎に生成する生成手段と、前記各分割原画像データ、前記各分割原画像データについて設定された識別情報、および前記各分割原画像データの前記文字について生成された前記文字対応情報を各々関連づけて前記記憶手段に記憶させる原画像データ記憶制御手段と、前記記憶手段に記憶されている前記各分割原画像データの中から、予め定められた手順に従って選択した前記分割原画像データを表示する表示制御手段と、前記表示手制御手段により表示された前記分割原画像データに対し、文字を特定する文字データの入力を受付ける受付手段と、前記表示制御手段により表示された前記分割原画像データおよび当該分割原画像データの前記識別情報に、前記受付手段が受付けた文字データを対応付けて前記記憶手段に記憶させる文字データ記憶制御手段とを備えることを特徴とする。
【００１３】
本発明の請求項９に係るプログラムは、文字が記載された帳票の原画像を読み取る読取手段を備えたコンピュータに、前記読取手段により読み取られた前記帳票の原画像のデータから１文字単位に分割した分割原画像データを抽出し、当該分割原画像データの前記帳票上の位置を特定する識別情報を当該分割原画像データに設定する設定ステップと、前記設定ステップにより抽出された前記各分割原画像データに対応した文字対応情報を前記分割原画像データ毎に生成する生成ステップと、前記各分割原画像データ、前記各分割原画像データについて設定された識別情報、および前記各分割原画像データの前記文字について生成された前記文字対応情報を各々関連づけて出力する出力制御ステップとを実行させるプログラムであることを特徴とする。
【００１４】
本発明の請求項１０に係るプログラムは、文字が記載された帳票の原画像を１文字単位に分割した分割原画像データ、前記各分割原画像データの識別情報、当該分割原画像データに対応した文字対応情報を各々関連づけて記憶する画像データ記憶装置と接続され、データの入力を受付ける受付手段を備えるコンピュータに、前記画像データ記憶装置に記憶されている前記各分割原画像データの中から、予め定められた手順に従って選択した前記分割原画像データを表示する表示制御ステップと、前記表示制御ステップにより表示された前記分割原画像データに対し、前記受付手段により受付けた文字データを、当該分割原画像データおよび当該分割原画像データの前記識別情報に対応付けて前画像データ記憶装置に記憶させる記憶制御ステップとを実行させるプログラムであることを特徴とする。
【発明の効果】
【００１５】
請求項１に係る発明によれば、帳票に記入された複数の文字からなる文字列を表示して、それらの各文字のデータをデータ入力者に入力させる場合に比べ、その文字列によって表される内容がデータ入力者に知られにくい。
【００１６】
請求項２に係る発明によれば、帳票に記入された連続する文字列が表示される場合と比べて、データ入力者に帳票の内容が認識されにくい。
【００１７】
請求項３に係る発明によれば、データ入力者は、表示された文字について文字データの入力作業を行えば、表示された文字と同種の文字の入力作業を行うことなく、それらの文字についても文字データが入力される。
【００１８】
請求項４に係る発明によれば、データ入力者によって文字データが入力された文字が再び入力対象の文字として表示されず、重複したデータ入力が避けられる。
【００１９】
請求項５に係る発明によれば、文字の特徴情報に基づいて、入力された文字データに対応する帳票上の記入された文字を特定しうる。
【００２０】
請求項６に係る発明によれば、並び替えによりデータ入力作業が行いやすい種類の文字の場合、並び替えを行わずに表示された文字列を参照してデータ入力者にデータ入力を行わせる場合と比べ、その種類のデータ入力作業が行いやすい。
【００２１】
請求項７に係る発明によれば、意味を有さない文字列を参照してデータ入力作業を行う場合に比べ、データ入力作業が行いやすい。
【００２２】
請求項８に係る発明によれば、帳票に記入された複数の文字からなる文字列を表示して、それらの各文字のデータをデータ入力者に入力させる場合に比べ、その文字列によって表される内容がデータ入力者に知られにくい。
【００２３】
請求項９に係る発明によれば、帳票における項目等の単位で帳票に記入された文字列を分割する場合と比べ、分割された一部のデータが外部へ流出しても帳票の内容が第三者に知られにくい。
【００２４】
請求項１０に係る発明によれば、帳票に記入された複数の文字からなる文字列を表示して、それらの各文字のデータをデータ入力者に入力させる場合に比べ、その文字列によって表される内容がデータ入力者に知られにくい。
【図面の簡単な説明】
【００２５】
【図１】本発明のデータ入力システム１の構成例を示す図である。
【図２】実施形態１における帳票のデータ例を示す図である。
【図３】実施形態１に係る画像読取装置１００及びデータ入力受付装置２００のブロック図である。
【図４】実施形態１における原画像情報の概念図である。
【図５】実施形態１における帳票情報テーブルのデータ例である。
【図６】実施形態１における画像読取装置１００の動作フロー図である。
【図７】実施形態１におけるデータ入力受付装置２００の動作フロー図である。
【図８】(ａ)は、実施形態１における文字入力画面の例を示す図である。(ｂ)は、(ａ)の文字入力画面に文字入力された画面例を示す図である。
【図９】実施形態１における帳票情報テーブルのデータ例を示す図である。
【図１０】実施形態２における帳票例を示す図である。
【図１１】実施形態２における帳票情報テーブルのデータ例である。
【図１２】実施形態２における画像読取装置１００の動作フロー図である。
【図１３】実施形態２におけるデータ入力受付装置２００の動作フロー図である。
【図１４】(ａ)は、実施形態２における文字入力画面の例を示す図である。(ｂ)は、(ａ)の文字入力画面に文字入力された画面例を示す図である。
【図１５】実施形態２における帳票情報テーブルのデータ例である。
【図１６】実施形態３における単語テーブルのデータ例である。
【図１７】実施形態３における帳票情報テーブルのデータ例である。
【図１８】実施形態３におけるデータ入力受付装置２００の動作フロー図である。
【図１９】(ａ)は、実施形態３における文字入力画面の例を示す図である。(ｂ)は、(ａ)の文字入力画面に文字入力された画面例を示す図である。
【図２０】実施形態３における帳票情報テーブルのデータ例である。
【発明を実施するための形態】
【００２６】
以下、図面を参照して本発明の実施形態に係るデータ入力システムについて説明する。
＜実施形態１＞
＜概要＞
図１は、本実施形態におけるデータ入力システムの構成例を示している。図１に示すように、データ入力システム１は、画像読取装置１００とデータ入力受付装置２００ａ〜２００ｎ(以下、各データ入力受付装置を区別しないときはデータ入力受付装置２００と言う)とで構成されており、画像読取装置１００と各データ入力受付装置２００とはＬＡＮ(Local  Area  Network)等の通信手段を介して接続されている。
本実施形態におけるデータ入力システム１は、図２に示す、住所、氏名、電話等の項目３０１〜３０３毎に記入位置が予め定められている形式の帳票３０に記入された筆記文字を画像読取装置１００において読み取り、データ入力受付装置２００においては、読み取られた筆記文字を参照しながら、当該文字を特定する文字データ（文字コードなど）をワードプロセッサ機能（仮名漢字変換機能）等を用いて入力する。この入力は、帳票についてデータの入力を行うデータ入力者により行われる。
なお、本実施形態における帳票は、予め記載内容が項分けされて記入位置が定められた紙媒体である例について説明するが、帳票は、予め筆記者によって文字が記載されている媒体であればこれに限らない。
【００２７】
＜構成＞
図３は、データ入力システム１を構成する画像読取装置１００とデータ入力受付装置２００の各々の構成を示すブロック図である。以下、各装置の構成について説明する。
（画像読取装置１００）
画像読取装置１００は、スキャナ装置で実現され、ＣＰＵ(Central  Processing  Unit)１１０、ＲＯＭ（Read Only Memory）１１１、ＲＡＭ（Random Access Memory）１１２、受付部１１３、画像読取部１１４、記憶部１１５、及び通信部１１６を含んで構成されている。ＣＰＵ１１０は、ＲＯＭ１１１に記憶されている制御プログラムを、ＲＡＭ１１２をワークエリアとして実行することにより、設定手段１１０ａ、生成手段１１０ｂ、出力制御手段１１０ｃの各機能を実現し、ＣＰＵ１１０に接続されている各部を制御する。
即ち、後述の画像読取部１１４で帳票毎に読み取られた画像データ(以下、原画像データと言う)を、設定手段１１０ａが予め定めた画素単位で分割して抽出し、抽出した原画像データ(以下、分割原画像データと言う)を識別するための識別情報を分割原画像データに設定する。また、生成手段１１０ｂは、設定手段１１０ａにより抽出された各分割原画像データに含まれる筆記文字を示す文字対応情報として、各筆記文字の特徴を抽出して特徴情報を生成する。出力制御手段１１０ｃは、設定手段１１０ａにより抽出された各分割原画像データと識別別情報を含む原画像情報を記憶部１１５に記憶し、生成手段１１０ｂにより生成された各分割画像データに対する特徴情報を識別情報と対応づけて帳票情報テーブルに書き込む。なお、分割の単位と筆記文字の特徴については後述する。
【００２８】
受付部１１３は、画像読取装置１００の電源スイッチや画像読取部１１４を操作するための操作スイッチ等を含み、ユーザによって操作された内容を示す情報をＣＰＵ１１０へ送出する。画像読取部１１４は、画像読取装置１００にセットされた帳票３０の記載面に光を照射してスキャンし、帳票から反射された光をＣＣＤ(charge Coupled Device)により受光して光電変換した電気信号をＣＰＵ１１０へ遂次送出する。
【００２９】
記憶部１１５は、ハードディスク等の不揮発性記憶媒体で構成されており、原画像情報と帳票情報テーブルなどのデータを記憶する。なお、原画像情報及び帳票情報テーブルの詳細については後述する。通信部１１６は、ＣＰＵ１１０の制御の下、データ入力受付装置２００とデータを送受信する。
【００３０】
(データ)
次に、記憶部１１５に記憶されるデータについて説明する。まず、本実施形態における分割原画像データについて説明する。
図２に示すように、帳票３０には、項目３０１〜３０３毎に破線で区分された１文字ずつの記入領域３１１〜３１３が設けられている。帳票３０の原画像データは、左上の画素から順次ラスタ走査され、項目毎にこの記入領域の大きさの単位で分割されて、１文字単位の分割原画像データが抽出される。なお、抽出される分割原画像データは、筆記文字が記載された画像データであり、記入領域において黒画素が予め定められた数以上含まれているか否かを自動判定して、筆記文字の有無が判断される。また、抽出される分割原画像データには、各分割原画像データを識別するための識別情報が設定される。この識別情報は、分割原画像データが含まれる帳票を示す帳票ＩＤ、項目を示す項目ＩＤ、項目において分割原画像データが抽出された抽出順序とで構成されており、分割原画像データが抽出された際に設定される。そして、抽出された各分割原画像データと識別情報は原画像情報として記憶部１１５の予め定めた領域に格納される。このように、本実施形態における識別情報は、帳票をラスタ走査することにより抽出した順序で構成されており、帳票における分割原画像データの位置を示す情報を含むものである。
なお、識別情報を構成する帳票ＩＤとしては、帳票に記載されているＩＤ等の文字を文字認識して取得してもよいし、帳票に印刷されているバーコード等を読み取って取得してもよく、画像読取装置１００が、読み取り処理を行った日付や順番から帳票ＩＤを設定してもよい。また、項目ＩＤは、帳票内の記入枠の位置に応じてラスタ走査された順に予め定めた項目ＩＤを設定するようにしてもよい。
【００３１】
図４は、図２の帳票３０から抽出された分割原画像データと識別情報とを対応づけた原画像情報の概念図である。図４に示すように、例えば、図２の帳票３０の「帳票００１」における住所３０１の記入領域３１１の分割原画像データ３１１ａ「東」の場合には、帳票ＩＤ「Ａ００１」と項目ＩＤ「ａ」と抽出順序「１」で構成された識別情報３１ａが設定される。また、分割原画像データ３１１ｂ「京」の場合には、帳票ＩＤ「Ａ００１」と項目ＩＤ「ａ」と抽出順序「２」とで構成された識別情報３１ｂが設定される。
【００３２】
次に、帳票情報テーブルについて説明する。図５は、帳票情報テーブルのデータ例を示している。帳票情報テーブル３２は、各分割原画像データに含まれている筆記文字の特徴を表す特徴情報と、その分割原画像データの識別情報とを対応づけて構成されている。この帳票情報テーブル３２には、分割原画像データの特徴情報が抽出された際に、抽出された各特徴情報と識別情報のデータが格納される。
【００３３】
なお、本実施形態における筆記文字の特徴情報は、筆記文字を構成する垂直線分と水平線分の線分数を特定することにより抽出される。例えば、図４の分割原画像データ３１１ａ「東」の文字の場合、この文字の特徴情報として、垂直線分数１、水平線分数４が抽出される。そして、図５に示すように、この分割原画像データの識別情報、帳票ＩＤ「Ａ００１」、項目ＩＤ「ａ」、抽出順序「１」と対応づけて、垂直線分数を表す縦１：水平線分数を表す横４の特徴情報が生成されて格納される。
【００３４】
（データ入力受付装置２００）
次にデータ入力受付装置２００の構成について説明する。データ入力受付装置２００は、パソコン等で実現され、ＣＰＵ２１０、ＲＯＭ２１１、ＲＡＭ２１２、記憶部２１３、受付部２１４、表示部２１５、及び通信部２１６を含んで構成されている。ＣＰＵ２１０は、ＲＯＭ２１１に記憶されている制御プログラムを、ＲＡＭ２１２をワークエリアとして実行することにより、抽出手段２１０ａ、表示制御手段２１０ｂ、記憶制御手段２１０ｃの各機能を実現し、ＣＰＵ２１０と接続されている各部を制御する。即ち、抽出手段２１０ａは、データ入力対象となる帳票の帳票情報と原画像情報を画像読取装置１００が読み取った画像データから抽出する。表示制御手段２１０ｂは、抽出手段２１０ａにより抽出された帳票情報からランダムに選択した一文字の分割原画像データを表示部２１５に表示する。記憶制御手段２１０ｃは、データ入力者が入力した文字データのキャラクタの特徴情報を生成し、表示部２１５に表示された分割原画像データの特徴情報と照合し、照合結果に応じた処理を行う。
【００３５】
記憶部２１３は、ハードディスク等の不揮発性記憶媒体で構成されており、アプリケーションプログラムやユーザデータ等の各種データを記憶する。受付部２１４は、テンキーやキーボード、マウス等で実現され、データ入力者からの入力操作を受付け、入力操作を示す情報をＣＰＵ２１０へ送出する。
【００３６】
表示部２１５は、液晶等のディスプレイで実現され、ＣＰＵ２１０の制御の下、データ入力者から文字入力操作を受付ける文字入力画面など、各種画像を表示する。通信部２１６は、ＣＰＵ２１０の制御の下、画像読取装置１００との間でデータを送受信する。
【００３７】
＜動作＞
次に、本実施形態に係るデータ入力システム１の動作について説明する。まず、図６を用いて画像読取装置１００の動作を説明する。
（画像読取装置１００の動作）
ユーザによって画像読取装置１００に帳票３０がセットされ、受付部１１３を介して帳票３０の画像読取操作がなされた場合に、画像読取装置１００のＣＰＵ１１０は、画像読取部１１４により帳票毎に光を照射して各帳票に記載された文字を読み取り(ステップＳ１１０)、読み取った画像の電気信号に基づいて原画像データを生成する(ステップＳ１１１)。
【００３８】
ＣＰＵ１１０は、ステップＳ１１１で生成した原画像データにおいて、予め項目毎に設定されている記入領域の画素単位で原画像データを順次走査して分割し、分割した分割原画像データの識別情報を設定する(ステップＳ１１２)。即ち、各帳票における各項目の記入領域毎の画素値を抽出し、抽出した各画素値における黒画素が予め定めた数以上である記入領域のデータを分割原画像データとして抽出する。そして、その分割原画像データの識別情報として、分割原画像データの抽出元である帳票及び項目を識別する帳票ＩＤ及び項目ＩＤと、当該項目において分割原画像データが抽出された順序を示す抽出順序とを当該分割原画像データと対応づけてＲＡＭ１１２に記憶する。
【００３９】
ＣＰＵ１１０は、ＲＡＭ１１２に記憶された各分割原画像データと識別情報を順次読み出し、読み出した分割原画像データに含まれる筆記文字の特徴情報を分割原画像データ毎に抽出する(ステップＳ１１３)。即ち、ＣＰＵ１１０は、分割原画像データに含まれている文字の垂直線分数と水平線分数を検出し、検出した垂直線分数と水平線分数をその分割原画像データの特徴情報として生成する。そして、ＣＰＵ１１０は、各分割原画像データと各識別情報とを対応づけた原画像情報を記憶部１１５へ記憶すると共に、各分割原画像データに設定された識別情報とステップＳ１１３において各分割原画像データについて抽出された特徴情報とを対応づけて帳票情報テーブル３２に格納する(ステップＳ１１４)。
【００４０】
（データ入力受付装置２００の動作）
次に、図７を用いてデータ入力受付装置２００の動作について説明する。
データ入力受付装置２００において、データ入力者が受付部２１４を介してデータ入力を行うための指示操作を行うと(ステップＳ２１０：ＹＥＳ)、ＣＰＵ２１０は、通信部２１６を介して画像読取装置１００の記憶部１１５にアクセスし、帳票情報テーブル３２からデータが未入力の帳票情報を帳票ＩＤの順に読み出してＲＡＭ２１２に記憶する(ステップＳ２１１)。
【００４１】
ここで、上記のアクセスの処理は、画像読取装置１００の記憶部１１５からデータを読み出す場合には、データ入力受付装置２００から読み出すべきデータを指定してデータの読み出し要求を画像読取装置１００へ送出し、画像読取装置１００のＣＰＵ１１０により読み出し要求のデータを記憶部１１５から読み出し、通信部１１６を介してデータ入力受付装置２００へ渡す処理である。また、記憶部１１５にデータを書き込む場合には、データ入力受付装置２００から書き込むデータと書き込み場所を指定したデータの書き込み要求を画像読取装置１００へ送出し、画像読取装置１００のＣＰＵ１１０により書き込み要求のデータを指定場所に格納する。以下、アクセスと言う場合には、上記の処理内容の意味で用いる。
【００４２】
ＣＰＵ２１０は、ステップＳ２１１においてＲＡＭ２１２に記憶した帳票情報の識別情報から一の識別情報をランダムに選択し、通信部２１６を介して画像読取装置１００の記憶部１１５にアクセスして、その選択した識別情報と対応づけられている分割原画像データを読み出し、読み出した分割原画像データを入力対象とする文字入力画面を表示する(ステップＳ２１２)。
【００４３】
ここで、文字入力画面について図８を用いて説明する。図８(ａ)は、ステップＳ２１２において表示される文字入力画面３３の例を示している。図８(ａ)に示す文字入力画面３３では、識別情報として、帳票ＩＤ「Ａ００１」、項目「住所」に対応する項目ＩＤ「ａ」、抽出順序「１」が設定された分割原画像データ３１１ａの文字「東」が入力対象３３ａとして表示されている。データ入力者は、図８(ｂ)に示すように、この文字入力画面３３において、入力対象３３ａと同じ文字「東」を入力データ欄３３ｂに入力する。
【００４４】
図７に戻り、ＣＰＵ２１０は、文字入力画面３３において、データ入力者から受付部２１４を介して文字入力操作を受付けると(ステップＳ２１３：ＹＥＳ)、入力された「東」の文字の垂直線分数及び水平線分数を検出して特徴情報を生成する(ステップＳ２１４)。なお、図８(ｂ)の例の場合、入力された「東」の特徴情報は、垂直線分数が１、水平線分数が４であるので、「縦１：横４」が生成される。そして、ＣＰＵ２１０は、ＲＡＭ２１２に記憶されている帳票情報の特徴情報を読み出し、入力対象の文字の特徴情報と入力された文字の特徴情報とが予め定められた照合条件を満たすか否か判断する(ステップＳ２１５)。なお、この照合条件は、本実施形態においては、入力された文字の特徴情報と、表示されている分割原画像データについて設定されている特徴情報が合致するか否かの条件である。
【００４５】
ＣＰＵ２１０は、ステップＳ２１５において各特徴情報が照合条件を満たす、即ち、特徴情報が合致すると判断した場合には(ステップＳ２１５：ＹＥＳ)、ＲＡＭ２１２に記憶されている帳票情報において、ステップＳ２１５において判断された特徴情報と同一の特徴情報が対応づけられている識別情報の入力データとして、文字入力画面３３で入力された文字「東」を記憶し、通信部２１６を介して画像読取装置１００の記憶部１１５へアクセスし、その帳票情報を帳票情報テーブル３２に書き込んで更新する(ステップＳ２１６)。
【００４６】
図９は、このようにして更新された帳票情報テーブル３２の例を示している。同図に示すように、帳票ＩＤ“Ａ００１”の帳票情報において、特徴情報「縦１：横４」を有する入力データ３２１には、文字入力画面３３において入力された「東」を示す文字データが各々格納されて更新される。
【００４７】
図７に戻り、ステップＳ２１７において、ＲＡＭ２１２に記憶されている帳票情報に入力データが全て格納された場合、又は、データ入力者によってデータ入力処理を終了する終了操作が受付部２１４を介してなされた場合に(ステップＳ２１７：ＹＥＳ)、ＣＰＵ２１０は、選択されている帳票のデータ入力処理を終了する。
【００４８】
また、ステップＳ２１７において、ＲＡＭ２１２に記憶されている帳票情報に入力データが格納されていない場合、又は、データ入力者によって終了操作がなされていなければ(ステップＳ２１７：ＮＯ)、ＣＰＵ２１０は、ステップＳ２１２に戻り、通信部２１６を介して画像読取装置１００の記憶部１１５にアクセスし、入力データが格納されていない識別情報に対応する分割原画像データをランダムに読み出し、文字入力画面３３において読み出した分割原画像データの文字を表示し、ステップＳ２１２以下の処理を繰り返し行う。
【００４９】
また、ＣＰＵ２１０は、ステップＳ２１０において、データ入力処理の指示操作がなされるまでは待機する(ステップＳ２１０：ＮＯ)。また、ステップＳ２１３において、データ入力者が文字入力画面３３において文字入力操作を行うまで(ステップＳ２１３：ＮＯ)、ＣＰＵ２１０は、文字入力画面３３を表示した状態で待機する。また、ステップＳ２１５において、入力対象の分割原画像データの特徴情報と入力された文字の特徴情報が照合条件を満たさない、つまり、各特徴情報が合致しないと判断した場合には(ステップＳ２１５：ＮＯ)、ＣＰＵ２１０は、ステップＳ２１３以下の処理を繰り返し行う。なお、この場合には、文字入力画面３３において文字入力操作を再度行うことを示すメッセージを表示してデータ入力者から文字入力操作を再度受付けるようにする。
【００５０】
上述した実施形態では、帳票毎に記入された文字の分割原画像データを１文字単位でランダムに表示され、帳票の各項目に記載された住所や氏名等の内容がデータ入力者に認識されにくい。また、データ入力者が、例えば、「東」という分割原画像データの文字に対して１度の入力作業を行えば、同じ帳票における他の分割原画像データの文字「東」についても同時にデータ入力が行われ、重複したデータ入力が避けられる。
【００５１】
＜実施形態２＞
次に、本発明の実施形態２に係るデータ入力システムについて説明する。
本実施形態では、原画像データを文字認識し、認識した文字(以下、認識文字と言う)の種類(数字、アルファベットなど)に応じた既定の並び順で、その認識文字に対応する分割原画像データを表示してデータ入力者から文字入力操作を受付ける。以下、上述した実施形態１と同様の構成については、実施形態１と同じ符号を用いて説明する。
【００５２】
図１０は、本実施形態における帳票の例を示している。図１０に示す帳票４０は、実施形態１と同様、予め郵便番号４０１、住所４０２、及び氏名４０３の各項目が配置され、各項目には破線で一文字ずつ区分された記入領域４１１〜４１３が設けられている。
【００５３】
本実施形態では、画像読取装置２００は、数字が記入される郵便番号４０１の項目ＩＤが付与された分割原画像データについて、生成手段１１０ｂによりパターンマッチングを行って、分割原画像データに対応する数字を特定し、出力制御手段１１０ｃにより特定した数字を当該分割原画像データの文字情報として帳票情報テーブル４２に記憶する。図１１は、本実施形態における帳票情報テーブルの例を示している。同図に示すように、帳票情報テーブル４２は、上述した実施形態１と同様、分割原画像データに設定された識別情報(帳票ＩＤ、項目ＩＤ、及び抽出順序)と認識文字が対応付けられている。この認識文字は、分割原画像データの筆記文字についてパターンマッチングを行って特定された文字を示し、各筆記文字に対応する文字対応情報である。この帳票情報テーブル４２には、各分割原画像データについて文字認識処理を行った際に、文字認識された識別情報と認識文字が格納される。
【００５４】
なお、記憶部１１５には、実施形態１と同様に、分割原画像データと識別情報とを対応づけた原画像情報が記憶され、パターンマッチングを行うためのデータ(以下、照合用文字データと言う)が予め記憶されている。
【００５５】
＜動作＞
以下、図１２及び１３を用い、本実施形態に係るデータ入力システム１の動作について説明する。なお、図１２及び１３において、上述した実施形態１と同じ処理については、実施形態１と同様のステップ番号を付しており、実施形態１と異なる動作について図１０及び図１１の例を用いて説明する。まず、画像読取装置１００の動作について説明する。
【００５６】
（画像読取装置１００の動作）
図１２において、画像読取装置１００のＣＰＵ１１０は、ステップＳ１１０〜Ｓ１１２の各処理を行う。そして、記憶部１１５から照合用文字データを読み出し、項目ＩＤ「ａ」の各分割原画像データについて照合用文字データを用いてパターンマッチングを行って文字認識を行い、文字認識した数字を特定する(ステップＳ１２３)。ＣＰＵ１１０は、各分割原画像データとその識別情報とを対応づけた原画像情報を記憶部１１５へ記憶すると共に、項目ＩＤ「ａ」の各分割原画像データの識別情報と、その分割原画像データについて特定した数字を帳票情報テーブル３２に格納する(ステップＳ１２４)。
【００５７】
（データ入力受付装置２００の動作）
図１３において、データ入力受付装置２００のＣＰＵ２１０は、実施形態１と同様に、ステップＳ２１０、Ｓ２１１の処理を行い、帳票ＩＤ「Ｂ００１」の帳票情報を画像読取装置１００から読み出してＲＡＭ２１２に記憶する。
【００５８】
ＣＰＵ２１０は、ＲＡＭ２１２に記憶されている帳票情報の項目ＩＤ「ａ」と対応づけられている認識文字を昇順に並び替え、通信部２１６を介して画像読取装置１００の記憶部１１５にアクセスして項目ＩＤ「ａ」の分割原画像データを読み出し、並び替えた各認識文字の識別情報に対応する分割原画像データを文字入力画面に表示する(ステップＳ２２１)。
【００５９】
ここで、本実施形態における文字入力画面について図１４を用いて説明する。図１４(ａ)は、ステップＳ２２１において表示される文字入力画面４３の例を示している。文字入力画面４３には、帳票ＩＤ「Ｂ００１」の項目ＩＤ「ａ」と対応づけられている認識文字「５」「６」「７」「１」「２」「４」「３」が昇順に並び替えられ、各認識文字に対応する筆記数字の分割原画像データ“１”“２”“３”“４”“５”“６”“７”が入力対象４３ａに表示される。データ入力者は、図１４(ｂ)に示すように、この文字入力画面４３において、入力データ欄４３ｂに入力対象４３ａで示された各数字を入力する。
【００６０】
図１３に戻り、ＣＰＵ２１０は、文字入力画面４３において、データ入力者により受付部２１４を介して文字入力操作がなされると(ステップＳ２１３：ＹＥＳ)、ＲＡＭ２１２に記憶されている帳票情報において、文字入力画面４３において表示した分割原画像データの識別情報の入力データとして入力された数字データを記憶し、通信部２１６を介して画像読取装置１００の記憶部１１５にアクセスして帳票情報テーブル４２にその帳票情報を書き込み、更新する(ステップＳ２１６)。
【００６１】
このようにして更新された帳票情報テーブル４２の例を図１５に示す。図１５に示すように、帳票情報テーブル４２の帳票ＩＤ「Ｂ００１」の項目ＩＤ「ａ」の入力データ欄４２１には、文字入力画面４３において入力された数字データが各々格納される。
【００６２】
上述した本実施形態は、このように、帳票に記載された数字等の文字が昇順や降順等の予め定められた順序に並び替えられて表示され、データ入力者は、並び替えられた文字を参照しながらデータ入力を行う。
なお、上記実施形態では、数字について文字認識を行う場合について説明したが、アルファベットや漢字等の文字についても文字認識を行うようにしてもよい。例えば、ある項目の分割原画像データについて文字認識を行った結果、特定された文字がアルファベットである場合には、その認識文字をアルファベット順に並び替えて表示するようにしてもよい。また、漢字の場合には、文字コード順に並び替えたり、漢数字である場合には漢数字の昇順や降順で並び替えたりするなど、認識文字に応じて予め定めた順序で並び替えを行って分割原画像データを表示する。
【００６３】
＜実施形態３＞
上述した実施形態２では、数字の分割原画像データを既定の順序で並び替えて提示し、データを入力する例であったが、本実施形態では、数字以外の文字について文字認識を行い、データ入力受付装置２００に予め記憶している単語テーブルの中から認識文字を含む単語を抽出し、抽出した単語の並び順で分割原画像データを表示する例について説明する。以下、上述した実施形態１と同様の構成については同じ符号を用いて説明し、上述した実施形態と異なる部分について説明を行う。
【００６４】
図１６は、上述した本実施形態における単語テーブルの例を示している。同図に示すように、単語テーブル５０には、各単語を識別する単語ＩＤと、名詞、形容詞、動詞等の意味を有する各単語が含まれており、この単語テーブル５０は、データ入力受付装置２００の記憶部２１３に予め記憶されている。
【００６５】
また、図１７は、実施形態２と同様の帳票情報テーブル４２を示している。この帳票情報テーブル４２は、住所４０２と氏名４０３の各分割原画像データについて文字認識を行った結果、特定された認識文字が記憶された例を示している。なお、画像読取装置１００の記憶部１１５には、実施形態２と同様、分割原画像データと識別情報を対応付けた原画像情報が記憶され、また、パターンマッチングの為の照合用文字データが予め記憶されている。
【００６６】
＜動作＞
本実施形態に係るデータ入力システム１の動作について説明する。なお、本実施形態における画像読取装置１００は、上述した実施形態２と同様であるため、データ入力受付装置２００の動作についてのみ説明を行う。図１８は、データ入力受付装置２００の動作フロー図である。以下、図１０、図１６、図１７の例を用いて説明する。
【００６７】
データ入力受付装置２００のＣＰＵ２１０は、実施形態２と同様、ステップＳ２１０、Ｓ２１１の処理を行い、帳票ＩＤ「Ｂ００１」の帳票情報を帳票情報テーブル４２から読み出して、ＲＡＭ２１２へ記憶する。そして、ＣＰＵ２１０は、帳票情報の識別情報のうち、入力データが未入力である識別情報(帳票ＩＤ「Ｂ００１」、項目ＩＤ「ｃ」、抽出順序「３」)に対応する認識文字(以下、未入力認識文字と言う)「静」を一つ選択する(ステップＳ２３１)。そして、ＣＰＵ２１０は、記憶部２１３から単語テーブル５０を読み出して、選択した未入力認識文字を含む単語「静岡県」を抽出する(ステップＳ２３２)。
【００６８】
ＣＰＵ２１０は、ＲＡＭ２１２に記憶されている帳票情報において、選択した未入力認識文字「静」と異なる項目ＩＤの識別情報と対応付けられた未入力認識文字を用い、抽出した単語「静岡県」が構成できるか否か判断する(ステップＳ２３３)。
ステップＳ２３３において、ＣＰＵ２１０は、抽出した単語「静岡県」が、未入力認識文字「静」と、帳票ＩＤ「Ｂ００１」，項目ＩＤ「ｄ」，抽出順序「１」に対応づけられた未入力認識文字「岡」と、帳票ＩＤ「Ｂ００１」，項目ＩＤ「ｃ」，抽出順序「４」と対応づけられた未入力認識文字「県」を用いて構成できると判断すると(ステップＳ２３３：ＹＥＳ)、通信部２１６を介して画像読取装置１００の記憶部１１５にアクセスし、その各未入力認識文字に対応する分割原画像データを読み出し、読み出した各分割原画像データを単語の文字の並び順で文字入力画面に表示する(ステップＳ２３４)。
【００６９】
図１９(ａ)は、このようにして表示された文字入力画面５１の例を示している。入力対象５１１〜５１３には、選択された単語の並び順で分割原画像データが表示される。そして、図１９(ｂ)に示すように、入力対象５１１〜５１３の各々に対応する入力データ５２１〜５２３の各欄に、入力対象５１１〜５１３の各文字と同じ文字が入力される。
【００７０】
図１８に戻り、ステップＳ２１３において、ＣＰＵ２１０は、ステップＳ２３６で表示された文字入力画面５１に文字が入力されると(ステップＳ２１３：ＹＥＳ)、実施形態２と同様、ステップＳ２１６以下の処理を行う。図２０は、上記の例でステップＳ２１６の処理を行った後の帳票情報テーブル４２の例を示している。同図に示すように、文字入力画面５１においてデータ入力者により入力された「静」「岡」「県」の文字データが、提示された分割原画像データの識別情報に対応する入力データ４２２に各々格納される。
【００７１】
図１８に戻り、ステップＳ２３３において、ＣＰＵ２１０は、抽出した単語を構成できないと判断した場合(ステップＳ２３３：ＮＯ)、単語テーブル５０の全ての単語について上記ステップＳ２３３の判断を行うまで(ステップＳ２３５：ＮＯ)、単語テーブル５０から単語を順次抽出し(ステップＳ２３２)、ステップＳ２３３の処理を行う。
【００７２】
また、ステップＳ２３５において、単語テーブル５０の全ての単語について上記ステップＳ２３３の判断を行った場合には(ステップＳ２３５：ＹＥＳ)、通信部２１６を介して画像読取装置１００の記憶部１１５にアクセスし、抽出した単語の一部を構成可能な未入力認識文字及び入力済の認識文字に対応する分割原画像データを、その単語の並び順で文字入力画面に提示する(ステップＳ２３６)。即ち、例えば、最後に抽出した単語が「静岡県」である場合において、この単語を未入力認識文字で構成できなければ、入力済の認識文字と組み合わせて単語を構成し、各認識文字に対応する分割原画像データを表示する。この場合には、文字入力画面において、入力済の分割原画像データに対応する入力データ欄に入力済のデータを表示する。また、入力済の認識文字を組み合わせても単語を構成できない場合には、単語を構成可能な一部の認識文字に対応する分割原画像データを表示するようにする。この場合、例えば、「静岡県」のうち、認識文字「岡」が帳票情報に含まれていなければ、「静」「県」の分割原画像データのみを表示する。
上述した本実施形態では、このように、意味のある単語の並び順で帳票に記載された文字が表示される。
【００７３】
＜変形例＞
以下、本発明の変形例について説明する。
（１）上述した実施形態１では、特徴情報として文字の垂直線分数と水平線分数を抽出する例について説明したが、文字の特徴を抽出する方法であればこれに限らず、以下の方法を用いてもよい。例えば、記入領域に記載された文字と背景との濃度の変化を抽出して文字の輪郭を検出し、検出した輪郭の情報を特徴情報として抽出する。また、記入領域内における文字の周囲四辺に現れる黒画素の密度を検出して文字を分類し、その分類情報を特徴情報として生成するようにしてもよい。また、上記のようにして生成された特徴情報を実施形態１の特徴情報と組み合わせて記憶し、入力された文字の特徴情報と分割原画像データの特徴情報が、予め定めた類似範囲に含まれる等の照合条件を満たす場合に、その入力された文字を分割原画像データの識別情報と関連づけて記憶するようにしてもよい。
【００７４】
（２）上述した実施形態１では、１文字単位で分割原画像データをランダムに表示する例であったが、項目ＩＤが異なる分割原画像データを複数並べて表示するようにしてもよい。
【００７５】
（３）また、上述した実施形態２では、入力された数字を同じ帳票ＩＤの対応する認識文字の識別情報と対応づけて記憶する例であったが、他の帳票ＩＤの認識文字のうち、入力された数字と同じ認識文字の識別情報と対応づけて記憶するようにしてもよい。
【００７６】
（４）また、上述した実施形態２では、同じ項目ＩＤの認識文字を既定の順序で並び替え、その並び替えた順序で分割原画像データを表示する例であったが、複数項目に数字の認識文字が記憶されている場合、全ての項目の認識文字を既定の順序で並び替え、その並び替えた順序で分割原画像データを予め定められた数の単位で表示するようにしてもよい。
【００７７】
（５）また、上述した実施形態３では、項目が異なる認識文字を組み合わせた単語を抽出する例であったが、同一項目内の認識文字を組み合わせ、その項目に含まれていない単語を抽出するようにしてもよい。
【００７８】
（６）上述した実施形態１〜３は、データ入力受付装置２００毎に一帳票のデータ入力を行う例であったが、例えば、データ入力受付装置２００ａと２００ｂが、同じ帳票の文字データの入力を各々のデータ入力者から受付けてもよい。この場合、実施形態１及び実施形態３の例では、データ入力受付装置２００ａと２００ｂは、帳票情報テーブルにおいてデータが未入力の識別情報に対応する分割原画像データを各々抽出した際、帳票情報テーブルにその識別情報を使用していることを示す使用フラグを設定し、抽出した分割原画像データを表示する。また、実施形態２の例では、データ入力受付装置２００ａ及び２００ｂは、一帳票中の項目単位で文字データの入力を受付け、帳票情報テーブルにおいて、入力対象の項目ＩＤを含む識別情報に使用フラグを設定し、入力対象の項目ＩＤに対応する分割原画像データを既定の順序で並び替えて表示する。
【００７９】
（７）上述した実施形態１〜３では、分割原画像データを含む帳票において、当該分割原画像データが抽出された順序に応じた識別情報が当該分割原画像データに設定される例について説明したが、例えば、帳票における分割原画像データの座標など、分割原画像データの位置を示す情報を識別情報として設定するようにしてもよい。
【００８０】
（８）上述した実施形態１では、データ入力受付装置２００は、表示部２１５に表示された分割原画像データに対してデータ入力者により入力された文字データを、表示された分割原画像データに対応する文字対応情報を有する他の分割原画像データの識別情報についても対応づけて記憶する例であったが、表示された分割原画像データの識別情報についてだけ入力された文字データを対応づけて記憶するようにしてもよい。また、この場合において、データ入力者によって入力された文字データと、当該他の分割原画像データを表示部２１５に表示し、当該他の分割原画像データに対応する文字データとして、入力された文字データを入力するか否かの選択をデータ入力者から受付け、入力する旨の選択を受付けた場合に、その入力された文字データを当該他の分割原画像データの識別情報と対応づけて記憶するようにしてもよい。
【００８１】
（９）上述した実施形態１〜３は、画像読取装置１００は、読み取った各帳票の分割原画像データ、各分割原画像データに設定した識別情報、各分割原画像データに対応する文字対応情報(特徴情報や認識文字)を関連づけて自装置内の記憶部１１５に出力して記憶する例であったが、画像読取装置１００は、画像読取装置１００とデータ入力受付装置２００と接続された別の装置にこれらのデータを出力し、その装置に記憶させるように構成してもよい。この場合には、データ入力受付装置２００は、分割原画像データ、各分割原画像データに設定した識別情報、各分割原画像データに対応する文字対応情報(特徴情報や認識文字)が関連付けて記憶されている装置にアクセスして、これらのデータの読み出し及び入力された文字データの書き込みを行う。
【００８２】
（１０）上述した実施形態１〜３のデータ入力システム１は、画像読取装置１００とデータ入力受付装置２００で構成されている例であったが、画像読取装置１００がデータ入力受付装置２００の機能を備えるように構成し、画像読取装置１００においてデータ入力者から文字データの入力を受付けてデータ入力を行うように構成してもよい。
【００８３】
（１１）上述した実施形態１〜３で用いた帳票は、予め記載内容が項分けされて記入領域が定められた帳票の例について説明したが、記入領域が定められていない媒体である場合には、以下のように分割原画像データを抽出するようにしてもよい。例えば、画像読取装置１００は、文字が記載された媒体を予め定めた間隔でスキャンして黒画素の分布を検出することにより、記載されている文字間隔を特定し、特定した文字間隔に基づいて、媒体の原画像データから一文字単位の分割原画像データを抽出する。
【００８４】
（１２）上述した実施形態１〜３のデータ入力受付装置２００は、表示部２１５を備える構成の例であったが、データ入力受付装置２００に液晶ディスプレイなどの表示装置を外付けして接続する構成であってもよい。この場合には、データ入力受付装置２００のＣＰＵ２１０は、実施形態で示した文字入力画面等の画像を、その表示装置に表示するよう制御する。
【００８５】
（１３）上述の実施形態１〜３における画像読取装置１００及びデータ入力受付装置２００のＣＰＵ１１０及びＣＰＵ２１０によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネット等の通信手段を用いて画像読取装置１００及びデータ入力受付装置２００にダウンロードさせることも可能である。
【符号の説明】
【００８６】
１・・・データ入力システム、１００・・・画像読取装置、１１０，２１０・・・ＣＰＵ、１１２，２１２・・・ＲＡＭ、１１３，２１４・・・受付部、１１４・・・画像読取部、１１５，２１３・・・記憶部、１１６，２１６・・・通信部、２００・・・データ入力受付装置、２１５・・・表示部
【図１】
2010277168.tif 000003
【図２】
2010277168.tif 000004
【図３】
2010277168.tif 000005
【図４】
2010277168.tif 000006
【図５】
2010277168.tif 000007
【図６】
2010277168.tif 000008
【図７】
2010277168.tif 000009
【図８】
2010277168.tif 000010
【図９】
2010277168.tif 000011
【図１０】
2010277168.tif 000012
【図１１】
2010277168.tif 000013
【図１２】
2010277168.tif 000014
【図１３】
2010277168.tif 000015
【図１４】
2010277168.tif 000016
【図１５】
2010277168.tif 000017
【図１６】
2010277168.tif 000018
【図１７】
2010277168.tif 000019
【図１８】
2010277168.tif 000020
【図１９】
2010277168.tif 000021
【図２０】
2010277168.tif 000022